(57)【要約】      （修正有）【課題】操作者の手を占用する必要がない手背用携帯式コードスキャニング端末を提供する。【解決手段】端末本体１と固定部材４を含む。固定部材は端末本体を手背に固定するために使われる。端末本体には、コードスキャニング装置と、そのコードスキャニング装置のコードスキャニング機能を起動／停止するためのトリガー操作を検知するジェスチャー検知装置２が設けられている。ジェスチャー検知装置は、親指の頭上げ動作を検知するために使われる。親指は、その端末本体を保持している手の親指である。【選択図】図１
0003230866.tif 000002
【実用新案登録請求の範囲】
【請求項１】
端末本体と固定部材を含み、
前記固定部材は、前記端末本体を手背に固定するために使用され、
前記端末本体は、コードスキャニング装置と、そのコードスキャニング装置のコードスキャニング機能を起動／停止するためのトリガー操作を検知するジェスチャー検知装置が設けられ、
前記ジェスチャー検知装置は、操作者が前記端末本体を保持している手の親指の頭上げ動作を検知するために使用されることを特徴とする手背用携帯式コードスキャニング端末。
【請求項２】
前記ジェスチャー検知装置は、容量センサーによって実現されることを特徴とする、請求項１に記載の手背用携帯式コードスキャニング端末。
【請求項３】
前記端末本体の底部には、前記手の前記親指と人差指との隙間に延びる延伸部を備え、
前記延伸部の外側には、前記ジェスチャー検知装置が設けられることを特徴とする、請求項２に記載の手背用携帯式コードスキャニング端末。
【請求項４】
前記延伸部の外面は、陥凹円弧面であることを特徴とする、請求項３に記載の手背用携帯式コードスキャニング端末。
【請求項５】
前記端末本体の底部には、前記手の前記親指と人差指との隙間に延びる延伸部を備え、
前記延伸部の外側には、前記ジェスチャー検知装置が設けられることを特徴とする、請求項１に記載の手背用携帯式コードスキャニング端末。
【請求項６】
前記延伸部の外面は、陥凹円弧面であることを特徴とする、請求項５に記載の手背用携帯式コードスキャニング端末。
【請求項７】
前記固定部材は、長さ調節可能な固定ベルトであることを特徴とする、請求項１に記載の手背用携帯式コードスキャニング端末。
【請求項８】
前記固定ベルトは、シリコーン素材で構成されることを特徴とする、請求項７に記載の手背用携帯式コードスキャニング端末。
【請求項９】
前記固定ベルトの数量は２つであり、一つは手掌に固定するために使用され、もう一つは手首に固定するために使用されることを特徴とする、請求項７に記載の手背用携帯式コードスキャニング端末。
【請求項１０】
前記端末本体の底面には、前記操作者の手背に合わせた円弧部が設けられていることを特徴とする、請求項１に記載の手背用携帯式コードスキャニング端末。
【請求項１１】
前記円弧部には、複数の防汗溝が設けられていることを特徴とする、請求項１０に記載の手背用携帯式コードスキャニング端末。
【請求項１２】
前記端末本体には、当該手背用携帯式コードスキャニング端末を充電するための磁気充電コネクタが設けられていることを特徴とする、請求項１に記載の手背用携帯式コードスキャニング端末。
【請求項１３】
前記端末本体には、タッチスクリーンが設けられていることを特徴とする、請求項１に記載の手背用携帯式コードスキャニング端末。
【考案の詳細な説明】
【技術分野】
【０００１】
本考案は、コードスキャニング装置の技術分野に属し、特に手背に対して取り付けられる携帯式コードスキャニング端末に関する。
【背景技術】
【０００２】
バーコード技術は、自動識別情報のための重要な技術として、小売や物流配給やチェーンストア経営や電子商取引や製造の分野で広く利用されている。
【考案の概要】
【考案が解決しようとする課題】
【０００３】
既存の携帯式コードスキャニング端末は、手持ち式であり、この手持ち式コードスキャニング端末を使用する場合、操作者が手持ち式コードスキャニング端末を手で持つ必要があり、物品のバーコードしかスキャンすることができず、操作が面倒である。
【０００４】
操作者は、手持ち式コードスキャニング端末を断続的に握って物品のバーコードをスキャンし、次に手持ち式コードスキャニング端末を側に置いてから、またはベルトに掛けたカバーに入れてから手で作業を行う必要がある。たとえば、キャッシャーは、様々な商品のバーコードをスキャンするため、手持ち式コードスキャニング端末を頻繁に握り、次に金銭登録器のキーボードを操作するために手持ち式コードスキャニング端末を頻繁に置く必要がある。このような繰り返しの操作は、使用者の疲労を簡単に引き起こし、作業効率に影響を与える可能性がある。
【０００５】
本考案の目的は、上記の問題を解決するために、手を占用せず、かつ操作が容易な手背用携帯式コードスキャニング端末を提供することである。
【課題を解決するための手段】
【０００６】
上記の目的を達成するために、本考案によって採用される技術的解決策は以下のとおりである。手背用携帯式コードスキャニング端末は、端末本体と固定部材を含む。前記固定部材は、前記端末本体を手背に固定するために使用される。前記端末本体は、コードスキャニング装置と、そのコードスキャニング装置のコードスキャニング機能を起動／停止するためのトリガー操作を検知するジェスチャー検知装置が設けられている。前記ジェスチャー検知装置は、操作者が前記端末本体を保持している手の親指の頭上げ動作を検知するために使用される。
【０００７】
また、前記ジェスチャー検知装置は、容量センサーによって実現される。
【０００８】
更に、前記端末本体の底部には、前記手の前記親指と人差指との隙間に延びる延伸部を備え、前記延伸部の外側には、前記ジェスチャー検知装置が設けられる。
【０００９】
また、前記延伸部の外面は、陥凹円弧面である。
【００１０】
更に、前記固定部材は、長さ調節可能な固定ベルトである。
【００１１】
また、前記固定ベルトは、シリコーン素材で構成される。
【００１２】
更に、前記固定ベルトの数量は２つであり、一つは手掌に固定するために使用され、もう一つは手首に固定するために使用される。
【００１３】
また、前記端末本体の底面には、操作者の手背に合わせた円弧部が設けられている。
【００１４】
更に、前記円弧部には、複数の防汗溝が設けられている。
【００１５】
また、前記端末本体には、手背用携帯式コードスキャニング端末を充電するための磁気充電コネクタが設けられている。
【００１６】
更に、前記端末本体には、タッチスクリーンは設けられている。
【考案の効果】
【００１７】
本考案の有益な技術的効果は以下の通りである。本考案は、操作者の手を占用する必要がなく、操作者に手を解放させて手作業を正常にさせることができ、且つスキャンコード操作が便利となり、作業効率を向上させてユーザ体験を大幅に改善する。
【図面の簡単な説明】
【００１８】
【図１】本実用新案の実施例の立体構造図である。
【図２】本実用新案の実施例の右側面図である。
【図３】本実用新案の実施例の底面図である。
【図４】本実用新案の実施例の背面図である。
【図５】本実用新案の実施例の上面図である。
【図６】本実用新案の実施例において固定ベルトを解いた状態の構造概略図１である。
【図７】本実用新案の実施例において固定ベルトを解いた状態の構造概略図２である。
【図８】図７に示すＡ領域の拡大図である。
【考案を実施するための形態】
【００１９】
様々な実施形態を更に説明するために、本考案は図面を提供する。これらの図面は、本考案の開示の一部であり、主に実施形態を説明するために使用され、明細書の関連する説明を取り合わせて実施形態の動作原理を説明することができる。これらの内容を参照することにより、本考案の属する技術分野の当業者は、本考案の他の可能な実施方式及び利点を理解することができる。図の構成部分は一定の比率で描かれないが、同様の構成部分の符号は、同様の構成部分を示すために使用される。
【００２０】
また、本考案の実施状態における技術的解決策をより明確に説明するために、実施状態の内容に使用を必要とする図面を簡単に説明したが、これらの内容における図面は、本考案のいくつかの実施形態にすぎないことは明らかである。本考案の属する技術分野の当業者にとって、他の図面は、創作能力の発揮なしにこれらの図面に基づいて得ることができる。
【００２１】
次に、図面および特定の実施形態を参照して本考案を更に説明する。
【００２２】
図１〜図８に示すように、手背用携帯式コードスキャニング端末は、端末本体１と固定部材を含む。前記固定部材は端末本体１を手背に固定するために使われる。前記固定部材は、本実施例では左手の手背に固定されているが、これに限定されなく、他の実施例で右手の手背に固定され得る。
【００２３】
前記端末本体１には、コードスキャニング装置と、そのコードスキャニング装置のコードスキャニング機能を起動／停止するためのトリガー操作を検知するジェスチャー検知装置２が具備される。前記ジェスチャー検知装置２は、親指の頭上げ動作を検知するために使われる。前記親指は、その端末本体１を保持している手の親指であり、即ち左手の親指である。
【００２４】
ジェスチャー検知装置２を使用してコードスキャニング装置を起動するのは、既存の機械ボタンでコードスキャニング装置を起動することと比べて、強く押す必要がなく、操作がより速く、より便利になり、損壊することがない。
【００２５】
ジェスチャー検知装置２を用いて親指の頭上げ動作を検知し、この検知をトリガーにしてコードスキャニング装置のコードスキャニング機能を起動／停止することにより、コードスキャニング装置の開始操作と終了操作は、両手を使用せずに片方の手のみで完了できる。そのため、他の手作業をするに両手を解放することができる。親指は、他の指と比べて動きの自由度がより高く、動きがよりすばしこいため、トリガー操作がより便利で快適になり、ユーザ体験を向上させ、かつ実現が簡単になる。
【００２６】
本実施例では、端末本体１は、略直方体構造である。これにより、端末本体１は、構造全体がよりコンパクトかつ小型になるが、これに限定されるものではない。他の実施例では、端末本体１の形状は、実際の要求に応じて選択できる。
【００２７】
コードスキャニング装置は、本実施例でバーコードをスキャンするためのコードスキャニング装置である。その構造は、既存の手持ち式バーコードスキャニング端末のコードスキャニング装置を参照することができるため、ここでは詳述しない。勿論、コードスキャニング装置は、他の実施例で二次元コードなどの他の情報コードをスキャンするコードスキャニング装置であってもよい。
【００２８】
本実施例では、バーコードをスキャンし易いためにコードスキャニング装置のコードスキャニングヘッド３を端末本体１の前面に設けるが、これに限定されるものではない。
【００２９】
本実施例では、前記ジェスチャー検知装置２は、好ましくは容量センサーを用いて実現する。例えば、モデルのＨＴ４である容量センサーを用いることにより、実装が簡単で、コストが低くなる。勿論、他の実施例では、前記ジェスチャー検知装置２を赤外線検出センサーまたは光検出器を用いて実現することができる。
【００３０】
本実施例では、前記端末本体１の底部に、親指と人差指との隙間へ延びる延伸部１１を備え、前記ジェスチャー検知装置を前記延伸部１１の外側に設けている。延伸部１１を設けることにより、ジェスチャー検知装置２が親指に近づき、親指の頭上げ動作を検知しやすくなる。
【００３１】
更に、本実施例では、延伸部１１の外面が陥凹円弧面１１１であり、親指の頭上げ動作がよりスムーズになる。
【００３２】
本実施例では、前記固定部材は、固定ベルト４であるため、構造が簡単で、実装が容易で、コストが低くなる。勿論、他の実施形態では、固定部材も他の既存の固定方法によって実現することができる。好ましくは、固定ベルト４の長さは、本実施例で異なるサイズの手に適応するように調整可能である。
【００３３】
本実施例では、固定ベルト４は、具体的には２つの副固定ベルト４１、４２で構成され、２つの副固定ベルト４１、４２の第１端部は、それぞれ端末本体１に固定接続されている。副固定ベルト４１の第２端部は、長さ方向に沿って複数の間隔を置いたクランプ・ホール４１１を備え、副固定ベルト４２の第２端部は、バックル４２１を備えている。
【００３４】
固定ベルト４は、バックル４２１を介して異なるクランプ・ホール４１１に固定されることにより、長さが手軽に調整できるが、これに限定されるものではない。他の実施形態では、長さを調整可能な他の既存のベルトを使用して、これを達成することもできる。
【００３５】
前記固定ベルト４は、本実施例で好ましくはシリコーン素材で構成され、良好な耐汗性を有し、より快適に着用でき、そしてユーザ体験を改善する。
【００３６】
好ましくは、前記固定ベルト４の数量は、本実施例で２つであり、一つは手掌に固定するために使われ、もう一つは手首に固定するために使われるため、安定性が向上する。
【００３７】
本実施例では、前記端末本体１の底面に手背に合わせた円弧部１２を設けている。したがって、端末本体１をより安定して快適に手背に固定させることができる。
【００３８】
更に、本実施例では、汗を防止し、着用快適性を改善するために円弧部１２に複数の防汗溝１２１を設けている。
【００３９】
本実施例では、具体的に防汗溝１２１が複数であり、平行に等間隔で配置されている。防汗溝１２１は、端末本体１の前後方向に沿って配置され、両端が端末本体１の前面及び後面を貫通しているため、換気効果が向上される。これにより、スウェット防止効果が向上し、加工が容易になるが、これに限定されるものではない。
【００４０】
本実施例では、前記端末本体１は、当該手背用携帯式コードスキャニング端末を充電するための磁気充電コネクタ５が設けられている。磁気充電コネクタ５を用いることにより、良好な防水及び防塵効果を有するだけでなく、充電コネクタが損壊し難くなると共に、充電操作も簡単になる。磁気充電コネクタ５は、すでに非常に成熟した既存の技術であるため、ここでは詳述せず、既存の技術を参照されたい。
【００４１】
本実施例では、磁気充電コネクタ５は、端末本体１の背面に配置しているため、充電が便利になり、美観に影響しないが、これに限定されるものではない。
【００４２】
本実施例では、端末本体１は、タッチスクリーン６が設けられている。前記タッチスクリーン６は、関連情報を表示し、数量の入力または機能オプションのなどの情報入力を実行するためにコードスキャニング装置に接続される。本実施例では、タッチスクリーン６は、具体的に容量性タッチスクリーンであり、コストが低く、実現が容易になるが、これに限定されるものではない。
【００４３】
タッチスクリーン６は、構造設計がより合理的かつコンパクトになり、表示及び入力操作がより便利になるように、端末本体１の上面に配置されるのが好ましいが、これに限定されるものではない。
【００４４】
作業過程：
使用時では、端末本体１を固定ベルト４で左手の手背に固定し、両手で通常の手作業を行うことがある。コードスキャニングを望んでいるときは、操作者は、親指をジェスチャー検知装置２の位置まで上げて検知させる。ジェスチャー検知装置２は、検知信号をコードスキャニング装置に送信する。コードスキャニング装置は、検知信号によりコードスキャニング機能を開始した後、コードスキャニングヘッド３が所望の位置に向けられると、バーコードのスキャンを始める。
【００４５】
コードをスキャンした後、操作者は、親指をジェスチャー検知装置２の位置まで上げてそれによって検知し、ジェスチャー検知装置２は、検知信号をコードスキャニング装置に送信すると、コードスキャニング装置のコードスキャニング機能は停止される。これにより、コードスキャニング装置のコードスキャニングの誤りを回避し、また電力消費を削減することができる。
【００４６】
本考案は、操作者の手を占用する必要がなく、操作者に手を解放させて手作業を正常にさせることができ、かつスキャンコード操作が便利となり、作業効率を向上させてユーザ体験を大幅に改善することができる。
【００４７】
本考案は、好ましい実施形態と併せて具体的に示され、説明されてきたが、本考案の属する技術分野の当業者は、添付の請求項の範囲に限定された趣旨及び範囲から逸脱することなく、形態及び細部において本考案を変更し得ることを理解すべきである。また、様々な変更が本考案の保護範囲内にある。
【符号の説明】
【００４８】
１  端末本体、
２  ジェスチャー検知装置、
３  コードスキャニングヘッド、
４  固定ベルト、
５  磁気充電コネクタ、
１１  延伸部、
１２  円弧部、
１１１  陥凹円弧面、
１２１  防汗溝。
【図１】
0003230866.tif 000003
【図２】
0003230866.tif 000004
【図３】
0003230866.tif 000005
【図４】
0003230866.tif 000006
【図５】
0003230866.tif 000007
【図６】
0003230866.tif 000008
【図７】
0003230866.tif 000009
【図８】
0003230866.tif 000010